(57)【特許請求の範囲】
【請求項１】
天井に取り付けられると共に、器具本体と、光源と、前記光源に電気的に接続される回路を有する基板と、前記光源を点灯するための点灯回路と、送風手段と、前記送風手段を制御するための制御回路と、を有する照明器具であって、
前記器具本体は、天板と、前記天板の側方に設けられる周板と、を備え、前記天板の中央に前記送風手段を収容する送風手段収容部が設けられ、
前記送風手段収容部を覆って前記器具本体の前記天板の上面に通風孔カバーが取り付けられ、前記通風孔カバーは、通風孔カバーの天板と、前記通風孔カバーの天板の側方に設けられる通風孔カバーの周板と、を備え、前記通風孔カバーの周板には、前記通風孔カバーの周板を貫通する複数の通風孔が設けられ、
前記送風手段の動作により、前記通風孔カバーの前記通風孔を経由して、前記器具本体の天板の、前記天井側に露出している上面の略全域にわたって、前記器具本体の天板の中央から外側に向かう、あるいは、前記器具本体の外側から中央に向かう空気流を発生させると共に、前記空気流の風量を調整可能である照明器具。
【請求項２】
請求項１に記載の照明器具において、
前記送風手段は、所定期間において、前記空気流の風量を、定常的に発生させる前記空気流の風量よりも大きくする照明器具。
【請求項３】
請求項１または請求項２に記載の照明器具において、
前記器具本体の天板の中央から外側に向かう空気流を第１の空気流とし、前記器具本体の外側から中央に向かう空気流を第２の空気流とする場合に、
前記送風手段は、前記第１の空気流と前記第２の空気流を交互に切り替えて発生させると共に、前記第１の空気流の風量と前記第１の空気流が流されている時間との積と、前記第２の空気流の風量と前記第２の空気流が流されている時間との積とを略等しくする照明器具。
【請求項４】
請求項１ないし請求項３のうちのいずれか１項に記載の照明器具において、
前記送風手段は、少なくとも点灯後または消灯後の所定期間に動作する照明器具。
【請求項５】
請求項１ないし請求項４のうちのいずれか１項に記載の照明器具において、
前記器具本体の周板に、前記器具本体の周板を貫通する複数の通風孔が設けられ、
前記通風孔カバーの周板に設けられる複数の通風孔と、前記器具本体の周板に設けられる複数の通風孔とを介して空気の流路が形成される照明器具。
【請求項６】
請求項１ないし請求項４のうちのいずれか１項に記載の照明器具において、
前記基板の下方にグローブが配置され、
前記基板の中央に基板通気孔が設けられ、
前記グローブの中央にグローブ通気孔が設けられ、
前記通風孔カバーの周板に設けられる複数の通風孔と、前記基板通気孔と、前記グローブ通気孔とを介して空気の流路が形成される照明器具。
【請求項７】
請求項１ないし請求項６のうちのいずれか１項に記載の照明器具において、
前記空気流の風量が、前記点灯回路の出力に応じて変化する照明器具。
【請求項８】
請求項１ないし請求項７のうちのいずれか１項に記載の照明器具において、
前記光源が、ＬＥＤまたは有機ＥＬであり、
前記基板の上面における、中央の周囲の領域に、複数の放熱手段が取り付けられ、
前記器具本体の天板の、前記複数の放熱手段の各々に対応する位置に、前記放熱手段用の開口が設けられ、前記放熱手段は、前記放熱手段用の開口を介して前記天井の側に露出しており、
前記送風手段が発生させる風が、前記複数の放熱手段の各々に当たる照明器具。
【請求項９】
請求項１ないし請求項８のうちのいずれか１項に記載の照明器具において、
前記器具本体の天板の上面は、凸と凹が交互に繰り返される面であり、かつ前記凸および前記凹は、前記器具本体の上面上を流れる前記空気流に沿う方向に形成される照明器具。
【発明の詳細な説明】
【技術分野】
【０００１】
本発明は、天井面に取り付けられるシーリングライト等に適用される照明器具に関する。
【背景技術】
【０００２】
従来より、ＬＥＤが取り付けられたヒートシンクと、空間と流体連通状態のモータおよびファンとを備え、ファンが、ヒートシンク上に空間を通して空気を移動させる照明器具が知られている（例えば、特許文献１参照）。
特許文献１は、空気流がほとんどないかまたは全くない用途に用いられる場合でも、効率的に放熱できる。
【先行技術文献】
【特許文献】
【０００３】
【特許文献１】特開２００５−１５８７４６号公報（図３、請求項１）
【発明の概要】
【発明が解決しようとする課題】
【０００４】
しかし、特許文献１は、以下の三つの課題を有する。
課題の一つ目は、ファンによってＬＥＤの放熱が行われるが、天井面に取り付けられるような場合、長時間経過すると、天井面側に埃が溜まってしまうことである。
特に、ＬＥＤは白熱灯等と異なり、点灯時間が長いことから、一度設置されるとＬＥＤが寿命になるまで設置され続け、上面に溜まる埃やごみ、あるいは虫の死骸等が美観を損ねる。
【０００５】
課題の二つ目は、天井面に取り付けられると、ユーザーが容易に手を伸ばして上面側を拭いたり、掃除したりすることができず、特に、光源の面積が大きくなると、隙間に手を入れにくかったり、中心付近まで手が届きにくいことである。
課題の三つ目は、引掛シーリング等に取り付けられる場合、天井面側がほぼ水平になると、埃等が溜まり易く、美観を損ねることである。
【０００６】
本発明は、前述した課題を解決するためになされたものであり、その目的は、自動的に清掃ができ、効率的に放熱できる照明器具を提供することにある。
【課題を解決するための手段】
【０００７】
本発明に係る照明器具は、天井に取り付けられると共に、器具本体と、光源と、前記光源に電気的に接続される回路を有する基板と、前記光源を点灯するための点灯回路と、送風手段と、前記送風手段を制御するための制御回路と、を有する照明器具であって、前記器具本体は、天板と、前記天板の側方に設けられる周板と、を備え、前記天板の中央に前記送風手段を収容する送風手段収容部が設けられ、前記送風手段収容部を覆って前記器具本体の前記天板の上面に通風孔カバーが取り付けられ、前記通風孔カバーは、通風孔カバーの天板と、前記通風孔カバーの天板の側方に設けられる通風孔カバーの周板と、を備え、前記通風孔カバーの周板には、前記通風孔カバーの周板を貫通する複数の通風孔が設けられ、前記送風手段の動作により、前記通風孔カバーの前記通風孔を経由して、前記器具本体の天板の、前記天井側に露出している上面の略全域にわたって、前記器具本体の天板の中央から外側に向かう、あるいは、前記器具本体の外側から中央に向かう空気流を発生させると共に、前記空気流の風量を調整可能である。
【０００８】
本発明に係る照明器具は、前記送風手段は、所定期間において、前記空気流の風量を、定常的に発生させる前記空気流の風量よりも大きくする。
【０００９】
本発明に係る照明器具は、前記器具本体の天板の中央から外側に向かう空気流を第１の空気流とし、前記器具本体の外側から中央に向かう空気流を第２の空気流とする場合に、
前記送風手段は、前記第１の空気流と前記第２の空気流を交互に切り替えて発生させると共に、前記第１の空気流の風量と前記第１の空気流が流されている時間との積と、前記第２の空気流の風量と前記第２の空気流が流されている時間との積とを略等しくする。
【００１０】
本発明に係る照明器具は、前記送風手段は、少なくとも点灯後または消灯後の所定期間に動作する。
【００１１】
本発明に係る照明器具は、前記器具本体の周板に、前記器具本体の周板を貫通する複数の通風孔が設けられ、
前記通風孔カバーの周板に設けられる複数の通風孔と、前記器具本体の周板に設けられる複数の通風孔とを介して空気の流路が形成される。
【００１２】
本発明に係る照明器具は、前記基板の下方にグローブが配置され、前記基板の中央に基板通気孔が設けられ、前記グローブの中央にグローブ通気孔が設けられ、前記通風孔カバーの周板に設けられる複数の通風孔と、前記基板通気孔と、前記グローブ通気孔とを介して空気の流路が形成される。
【００１３】
本発明に係る照明器具は、前記空気流の風量が、前記点灯回路の出力に応じて変化する。
【００１４】
本発明に係る照明器具は、前記光源が、ＬＥＤまたは有機ＥＬであり、前記基板の上面における、中央の周囲の領域に、複数の放熱手段が取り付けられ、前記器具本体の天板の、前記複数の放熱手段の各々に対応する位置に、前記放熱手段用の開口が設けられ、前記放熱手段は、前記放熱手段用の開口を介して前記天井の側に露出しており、前記送風手段が発生させる風が、前記複数の放熱手段の各々に当たる。
【００１５】
本発明に係る照明器具は、前記器具本体の天板の上面は、凸と凹が交互に繰り返される面であり、かつ前記凸および前記凹は、前記器具本体の上面上を流れる前記空気流に沿う方向に形成される。
【発明の効果】
【００１６】
本発明に係る照明器具によれば、自動的に清掃ができ、効率的に放熱できるという効果を奏する。
【図面の簡単な説明】
【００１７】
【図１】本発明に係る第１実施形態の照明器具の斜め上方から視た分解斜視図
【図２】本発明に係る第１実施形態の照明器具の斜め上方から視た外観斜視図
【図３】本発明に係る第１実施形態の照明器具の回路構成図
【図４】本発明に係る第１実施形態の照明器具の制御波形図
【図５】本発明に係る第２実施形態の照明器具の制御波形図
【図６】本発明に係る第３実施形態の照明器具の制御波形図
【図７】本発明に係る第４実施形態の照明器具の制御波形図
【図８】本発明に係る第５実施形態の照明器具の制御波形図
【図９】本発明に係る第６実施形態の照明器具の制御波形図
【図１０】本発明に係る第７実施形態の照明器具の制御波形図
【図１１】本発明に係る第８実施形態の照明器具の回路構成図
【図１２】本発明に係る第９実施形態の照明器具の点灯回路の出力波形図
【図１３】本発明に係る第９実施形態の照明器具の送風手段の出力波形図
【図１４】本発明に係る第１０実施形態の照明器具の斜め上方から視た分解斜視図
【図１５】本発明に係る第１１実施形態の照明器具の斜め上方から視た分解斜視図
【図１６】本発明に係る第１１実施形態の照明器具の斜め上方から視た外観斜視図
【図１７】本発明に係る第１２実施形態の照明器具の斜め上方から視た外観斜視図
【図１８】本発明に係る第１３実施形態の照明器具の斜め上方から視た分解斜視図
【図１９】本発明に係る第１３実施形態の照明器具の斜め上方から視た外観斜視図
【図２０】本発明に係る第１４実施形態の照明器具の斜め上方から視た外観斜視図
【発明を実施するための形態】
【００１８】
以下、本発明に係る複数の実施形態の照明器具について図面を参照して説明する。
（第１実施形態）
図１に示すように、本発明に係る第１実施形態の照明器具１０は、器具本体１１と、器具本体１１の下面に取り付けられるＬＥＤユニット１２と、ＬＥＤユニット１２の前面に取り付けられるグローブ１３とを備える。
器具本体１１は、天部に円環形の天板１４を有し、側部に周板１５を有する。器具本体１１は、天板１４の中央部に、送風手段収容部１６を有して通風孔カバー１７が取り付けられる。
【００１９】
通風孔カバー１７は、天板１８と周板１９とを有し、天板１８に不図示の天井面に設置された同じく不図示の引掛シーリングに取付けるための取付アダプタ２０が取り付けられる。
通風孔カバー１７は、周板１９に複数の第１通風孔２１が円周方向に等間隔に形成される。
【００２０】
器具本体１１は、周板１５に複数の第２通風孔２２が円周方向に等間隔に形成される。
器具本体１１は、天板１４の下面に制御回路２３と点灯回路２４とが取り付けられる。
器具本体１１は、送風手段収容部１６内に、ファン２６を有する送風手段２５が収容されており、送風手段２５が制御回路２３に電気的に接続される。
送風手段２５は、制御回路２３により、ファン２６が正転・逆転および風量調整される。
【００２１】
ＬＥＤユニット１２は、器具本体１１に相似する円形に形成されるＬＥＤ基板２７と、ＬＥＤ基板２７の下面に封止される複数のＬＥＤ２８とを有する。
ＬＥＤ基板２７は、ＬＥＤ２８に電気的に接続される不図示のプリント回路を有し、このプリント回路が点灯回路２４に電気的に接続される。
ＬＥＤ２８は、点灯回路２４により、オン・オフ制御されるとともに、調光や調色を制御される。
【００２２】
図２に示すように、照明器具１０は、器具本体１１の天板１４の上面において、通風孔カバー１７内に送風手段２５が収容される。
そして、通風孔カバー１７に有する第１通風孔２１が天板１４の面上に配置される。
また、器具本体１１の周板１５に有する第２通風孔２２が、天板１４の外縁部においてＬＥＤ基板２７の側部に配置される。
【００２３】
図３に示すように、照明器具１０は、商用交流電源ＡＣに点灯回路２４および制御回路２３が並列に接続され、制御回路２３に送風手段２５が接続される。
照明器具１０は、取付アダプタ２０より供給される商用交流電源ＡＣが、ＬＥＤ２８の点灯回路２４および送風手段２５の制御回路２３にそれぞれ与えられる。
【００２４】
次に、照明器具１０における送風手段２５の機能について説明する。
図２に戻り、制御回路２３により送風手段２５のファン２６が正転される。
すると、送風手段収容部１６内の下部に連通する器具本体１１の天板１４の下面に負圧を生ずるために、通風孔カバー１７の第１通風孔２１から器具本体１１の第２通風孔２２に向けた所定の第１方向の第１空気流が発生する。
【００２５】
これとは異なり、制御回路２３により送風手段２５のファン２６が逆転されると、送風手段収容部１６内の上部に連通する器具本体１１の天板１４の上面に負圧を生ずる。
そのため、器具本体１１の第２通風孔２２から通風孔カバー１７の第１通風孔２１に向けた所定の第２方向の第２空気流が発生する。
そして、第１空気流および第２空気流は、送風手段２５の風量と時間との積を略一定にする。
【００２６】
図４に示すように、縦軸に風量を、横軸に時間を表した場合、送風手段２５は、縦軸の正領域において、空気流が、器具本体１１の中心から放射状に外側へ向かう方向に設定される。
これに反して、送風手段２５は、負領域において、空気流が、反対に外側から器具本体１１の中心へ向かう方向に設定される。
従って、正領域においては、第２通風孔２２が空気流の吸入口になり、第１通風孔２１が空気流の排出口となる。
【００２７】
ここで、送風手段２５は、定常時に、比較的弱い風量のＬレベルで空気流を発生させており、時点Ｔ１から時点Ｔ２までの任意の期間でのみ、強い風量のＨレベルで空気流を発生させる。
このように制御することにより、定常のＬレベルでは、埃等が溜まり難くなるのと同時に、天板１４上に空気流を発生させるために、ＬＥＤ２８から発生する熱を効率良く放熱できる。
【００２８】
また、時点Ｔ１から時点Ｔ２までの期間に風量をＨレベルに強くすることにより、Ｌレベルでも溜まってしまうような埃やごみを器具本体１１の天板１４上から吹き飛ばすことができる。
そのため、ユーザーが、器具本体１１の天板１４をわざわざ掃除する手間が省け、床面に落ちる埃やごみ等を掃除するだけで済む。
【００２９】
なお、時点Ｔ１および時点Ｔ２の期間は、所望のタイミングで良いために、例えば、リモコン送信機に配置された特定のボタンが押されたときだけ、掃除モードとして動作するようにできる。
あるいは、一定の期間が経過した後に、自動的に風量を強くする等、色々なタイミングで動作できる。
【００３０】
以上、説明した本発明に係る第１実施形態の照明器具１０によれば、器具本体１１の天板１４上の全域に送風手段２５の空気流が自動的に発生するために、埃等を溜まり難くできる。
従って、照明器具１０によれば、自動的に清掃ができ、常に清浄にできる。
【００３１】
また、照明器具１０によれば、器具本体１１の全面に渡って放熱を行えるために、点灯時の温度を低く維持することができ、ＬＥＤ２８の寿命を延長できる。
そして、照明器具１０によれば、空気流の方向や風量が変化することにより、特定の箇所に埃等を溜まり難くできる。
従って、照明器具１０によれば、効率的に放熱できる。
【００３２】
照明器具１０によれば、送風手段２５が、所定の期間において、風量を大きくすることにより、天井面側に溜まった埃等を吹き飛ばして床面に落とすことができる。
そのため、照明器具１０によれば、ユーザーが天井面側に手を伸ばす等して、掃除をする手間がなくなる。また、埃等を吹き飛ばすことにより、ユーザーに埃やごみ等が落ちたことを認識させることができる。
【００３３】
照明器具１０によれば、第１方向に反対の第２方向に空気流を発生できるので、第１通気孔２１及び第２通気孔２２に埃等を溜まり難くできる。
また、照明器具１０によれば、送風手段２５が、第１方向と第２方向において、風量と時間の積を略一定にしたため、ある方向には、比較的少ない風量で長時間の空気流を発生させておき、反対方向には、比較的多い風量で短時間に空気流が発生することになる。
従って、照明器具１０によれば、埃等を吹き飛ばす場合に有利である。
【００３４】
さらに、照明器具１０によれば、長時間の空気流を一定方向に継続させることにより、天井面側での放熱のための対流期間を確保できるために、効率良く、ＬＥＤ２８を放熱できる。
また、照明器具１０によれば、同じ風量や同じ時間でも良く、その場合には、制御が対称のために簡単になる。あるいは、商用交流電源ＡＣの正負を利用することで、空気流の方向を容易に逆転できる。
さらに、照明器具１０によれば、送風手段２５として、振動板やポンプ等のファン以外のものも利用できる。
【００３５】
照明器具１０によれば、取付アダプタ２０の近傍に送風手段２５を配置したために、引掛シーリングから送風手段２５までの配線を短くできる。
また、照明器具１０によれば、器具本体１１の中心から流れる空気流を構造上放射状にしやすくなり、器具本体１１の上面の全域に空気流を発生させるのを容易にできる。
さらに、照明器具１０によれば、引掛シーリングの近傍に第１通風孔２１を設けたために、送風手段２５は、必ずしも中心付近になくてもよく、取付け位置の設計自由度を向上できる。
【００３６】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００３７】
図５に示すように、本発明に係る第２実施形態の照明器具３０の送風手段３１における制御波形において、縦軸に風量を、横軸に時間を表した場合、時点Ｔ１から時点Ｔ２までの間の第１方向の第１空気流をＨ１レベルとする。
そして、送風手段３１は、第２方向の第２空気量をＨ２レベルとしている。
このとき、空気流の逆転は、制御回路２３により、印加する電圧の正負を逆転することで、容易に達成できる。
【００３８】
送風手段３１は、反対方向にも空気流を発生させることにより、第１通風孔２１および第２通風孔２２の付近の埃等を吹き飛ばすことができ、器具本体１１の天板１４のみならず、埃等が溜まることを抑制できる。
また、図５中の斜線で示した領域の面積を等しくすることにより、正方向と負方向の全体の風量を同じにすることができるために、送風手段２５としてファン２６を用いることなく、例えば振動板を利用したり、ポンプ構造のものを利用したりできる。
【００３９】
照明器具３０によれば、送風手段３１により、反対方向にも空気流を発生させることにより、第１通風孔２１および第２通風孔２２の付近の埃等を吹き飛ばすことができ、器具本体１１の天板１４のみならず、埃等が溜まることを抑制できる。
【００４０】
（第３実施形態）
次に、本発明に係る第３実施形態の照明器具について説明する。
図６に示すように、本発明に係る第３実施形態の照明器具４０の送風手段４１における制御波形において、一定期間毎に、正転および逆転を一定風量で繰り返す。
送風手段４１は、所望期間のみ風量を大きくするような清掃用のモードを設けることなく、天板１４上に埃が溜まり難く、ＬＥＤ２８の放熱が可能であり、第１通風孔２１および第２通風孔２２に埃等が溜まり難い。
このとき、送風手段４１は、繰り返しの逆転であるため、制御回路２３も簡単なタイマ回路で実現できる。
【００４１】
照明器具４０によれば、送風手段４１により、所望期間のみ風量を大きくするような清掃用のモードを設けることなく、天板１４上に埃が溜まり難く、ＬＥＤ２８の放熱が可能であり、第１通風孔２１および第２通風孔２２への埃等の溜まりを防止できる。
【００４２】
（第４実施形態）
次に、本発明に係る第４実施形態の照明器具について説明する。
図７に示すように、本発明に係る第４実施形態の照明器具５０の送風手段５１における制御波形において、正転、逆転を一定風量ではなく、正弦波状にした。
送風手段５１は、正弦波状であるため、例えば、商用交流電源ＡＣに同期させることにより、より簡単に回路を構成できる。
【００４３】
照明器具５０によれば、送風手段５１が、正弦波状の制御を行うために、商用交流電源ＡＣに同期させることにより、より簡単に回路を構成できる。
【００４４】
（第５実施形態）
次に、本発明に係る第５実施形態の照明器具について説明する。
図８に示すように、本発明に係る第５実施形態の照明器具６０の送風手段６１における制御波形において、点灯回路２４がＨレベルのときにＬＥＤ２８がオンされ、点灯回路２４が０レベルでＬＥＤ２８がオフされる。
【００４５】
送風手段６１は、時点Ｔ１〜時点Ｔ２の間でのみＨレベルで動作し、点灯直後の所定の期間でのみ動作するモードである。
送風手段６１は、点灯中の動作のために、埃が吹き飛ばされ、床面に落ちることをユーザーが認識しやすくなる。
送風手段６１は、定常点灯中は、停止しているために、ファン２６の動作音を気にすることなく、照明を利用できる。
【００４６】
照明器具６０によれば、点灯後の所定期間、送風手段６１が動作するために、点灯中はファン２６の音や、ファン２６が発生するノイズが気にならない。
また、照明器具６０によれば、点灯後に埃等を吹き飛ばすことで、埃等をユーザーが認知することができる。
【００４７】
（第６実施形態）
次に、本発明に係る第６実施形態の照明器具について説明する。
図９に示すように、本発明に係る第６実施形態の照明器具７０の送風手段７１における制御波形において、時点Ｔ３〜時点Ｔ４の間でのみＨレベルで動作する。
送風手段７１は、消灯直後の所定期間のみ動作するモードである。
これは、点灯直後であると、埃が落ちてくることを認識するのをユーザーが不快に感じることがあるからである。
そのため、送風手段７１は、ユーザーに気付かれないように天板１４の埃等を落とすことができる。
【００４８】
このとき、送風手段７１は、点灯回路２４と同期して動作する形態であれば、特に、ユーザーが掃除モードを意識することなく、照明器具７０のオン・オフに応じて自動で掃除できる。
なお、本実施形態の消灯直後の所定期間のみの動作と、第５実施形態の点灯直後の所定期間のみの動作とは、別々に制御されてもよく、あるいは、両機能が併用されてもよい。
【００４９】
照明器具７０によれば、消灯後に埃等を吹き飛ばすことにより、ユーザーに気付かれないように天板１４の埃等を落とすことができる。
【００５０】
（第７実施形態）
次に、本発明に係る第７実施形態の照明器具について説明する。
図１０に示すように、本発明に係る第７実施形態の照明器具８０の送風手段８１における制御波形において、期間Ａで、数秒〜数分単位で正転・逆転を繰り返す。
送風手段８１は、期間Ｂで、例えば数日〜数ヶ月の単位で逆転させる。
期間Ａおよび期間Ｂは、併用が可能である。
送風手段８１は、第１通風孔２１および第２通風孔２２のうち、任意の箇所のみ一瞬だけ風量を大きくしたり、数日、数ヶ月単位で正逆を切替えたり、あるいは、ＬＥＤ２８の点灯、消灯ごとに正転、逆転を切替えたりできる。
【００５１】
照明器具８０によれば、制御の組み合わせを任意に設定できるために、制御の自由度が広がる。
【００５２】
（第８実施形態）
次に、本発明に係る第８実施形態の照明器具について説明する。
図１１に示すように、本発明に係る第８実施形態の照明器具９０は、外部に設けられた調光器９２に応じて、点灯回路２４と送風手段９１の制御回路２３を同時に制御する。
調光器９２は、照明器具９０の外部に設けられて壁等に設置される。
なお、調光器９２は、調光コントローラの形態でもよく、調光機能として、照明器具９０に内包される形態でもよい。
【００５３】
照明器具９０によれば、調光器９２により、点灯回路２４と送風手段９１の制御回路２３を同時に制御できる。
【００５４】
（第９実施形態）
次に、本発明に係る第９実施形態の照明器具について説明する。
図１２に示すように、本発明に係る第９実施形態の照明器具１００は、調光器９２の出力（点灯回路２４の出力）が、時点Ｔ１，時点Ｔ２，時点Ｔ３，時点Ｔ４の間に変動する。
図１３に示すように、送風手段１０１は、調光器９２の出力に応じて、時点Ｔ１，時点Ｔ２，時点Ｔ３，時点Ｔ４に同期して風量が調整される。
【００５５】
このとき、調光器信号としては、ＤＣ、ＰＷＭ、デジタル等色々な形態があり、それらの調光信号により点灯回路２４の出力が制御される。
送風手段１０１は、ＬＥＤ２８の出力が低いときに、比較的弱い風量で動作し、ＬＥＤ２８の出力が多きいときに、比較的大きい風量で動作する。
そのため、ＬＥＤ２８の放熱を効率的に行うことができ、余分な電力損失を抑制できる。
なお、調光器９２の代わりに、例えば埃センサからの出力信号で、制御を調整すること等もできる。
【００５６】
照明器具１００によれば、送風手段１０１の風量を点灯回路２４の出力に応じて変化させるために、例えば、負荷電力が小さくなる調光状態で、送風手段１０１の風量も抑制することになり、無駄な電力を使用せずに、効率的に放熱できる。
【００５７】
（第１０実施形態）
次に、本発明に係る第１０実施形態の照明器具について説明する。
図１４に示すように、本発明に係る第１０実施形態の照明器具１１０は、ファンを有さないシロッコファン１１２を適用した送風手段１１１を備える。
【００５８】
照明器具１１０によれば、送風手段１１１が、ファンを有さないシロッコファン１１２を適用したために、騒音を防止できる。
【００５９】
（第１１実施形態）
次に、本発明に係る第１１実施形態の照明器具について説明する。
図１５に示すように、本発明に係る第１１実施形態の照明器具１２０は、円環形状のＬＥＤ基板１２１と、同じく円環形状のグローブ１２２とを備える。
ＬＥＤ基板１２１は、中央部に、基板通気孔１２３を有し、この基板通気孔１２３に通気孔カバーの機能を有するフィルタ１２４が取り付けられる。
グローブ１２２は、中央部に、グローブ通気孔１２５を有する。
【００６０】
図１６に示すように、送風手段１２６が駆動されることにより、送風手段収容部１６内の上部に連通する器具本体１１の天板１４の上面に負圧を生ずる。
そのため、ＬＥＤ基板１２１の基板通気孔１２３を通じてグローブ１２２のグローブ通気孔１２５からグローブ１２２の下面を通過して通風孔カバー１７の第１通風孔２１に空気流が発生する。
【００６１】
このとき、空気流がグローブ１２２の下面に沿って流れることになり、照明器具１２０の放熱を、より効率的にできる。
また、中心部分にＬＥＤ２８が配置されないために、ファン２６の高さ方向を稼ぐことができ、照明器具１２０を、より薄型化できる。
なお、フィルタ１２４は、着脱が可能であることが望ましい。フィルタ１２４は、室内の空気を清浄できる。
【００６２】
照明器具１２０によれば、グローブ１２２のグローブ通気孔１２５に送風手段１２６からの空気流が流れるため、ＬＥＤ２８の放熱を広い面積で行えて長寿命化できる。
また、照明器具１２０によれば、器具本体１１の天板１４の上面に限らず、グローブ１２２に付着した埃等も吹き飛ばすことができる。
そして、照明器具１２０によれば、空気の流路を大きく取れるために、放熱のための空気の入替を効率的にできる。
【００６３】
（第１２実施形態）
次に、本発明に係る第１２実施形態の照明器具について説明する。
図１７に示すように、本発明に係る第１２実施形態の照明器具１３０は、送風手段１３１の周りにおいて、凸凹面１３３を有する器具本体１３２を備える。
照明器具１３０は、ＬＥＤ基板２７の熱が器具本体１３２に伝わりやすいようにするための、ＬＥＤ基板２７の外縁部に、熱導電性の高い複数の支持体１３４を配置し、上下方向からねじ１３５でねじ止めする。
【００６４】
なお、光源として、ＬＥＤ２８の他に、有機ＥＬを選ぶことができる。
支持体１３４は、例えば、鉄板やアルミニウム等の金属系の材質である。
器具本体１３２の凸凹面１３３は、第１通風孔２１から排出または吸入される空気流に対して略平行に配置されている。
そのため、埃やごみ等は凸凹面１３３における凹部に溜まりやすいために、第１通風孔２１の数が少なくても、埃等を効率的に吹き飛ばすことができる。
【００６５】
また、凸凹面１３３により、器具本体１３２の表面積が拡大されるために、支持体１３４でＬＥＤ基板２７上の熱を、より効率的に逃がすことができる。
なお、凸凹面１３３の形状は、図示した山型の形状に限らず、Ｕ字状でもよく、コ字状でもよい。
【００６６】
照明器具１３０によれば、器具本体１３２が凸凹面１３３を有するために、埃やごみ等が凹部に集まりやすくなり、より効率的に送風手段１３１で吹き飛ばすことができる。
また、照明器具１３０によれば、ＬＥＤ２８や有機ＥＬのための放熱面積を増やすことになり、効率的に放熱でき、点灯回路２４も放熱できる。
【００６７】
（第１３実施形態）
次に、本発明に係る第１３実施形態の照明器具について説明する。
図１８および図１９に示すように、本発明に係る第１３実施形態の照明器具１４０は、送風手段１４１の周りにおいて、ＬＥＤ２８用の放熱手段である複数のヒートシンク１４２を配置し、ヒートシンク１４２に空気流が当たる。
【００６８】
照明器具１４０は、器具本体１４３に、４か所のヒートシンク用開口部１４４を設けており、ＬＥＤ基板２７に熱的に接続されて取り付けられたヒートシンク１４２が器具本体１４３の上方に露出する。
照明器具１４０は、送風手段１４１に加えて、ヒートシンク１４２を備えるために、ＬＥＤ２８を直接的に放熱できる。
【００６９】
特に、図１９中に破線で示すように、ヒートシンク１４２の間の埃等も吹き飛ばすことができる。
照明器具１４０は、第１通風孔２１を選択的に切替えることにより、掃除モードと放熱モードとの切替えもできる。
【００７０】
照明器具１４０によれば、送風手段１４１の空気流がＬＥＤ２８や有機ＥＬのヒートシンク１４２に直接当たるために、放熱効果を、より向上できる。
【００７１】
（第１４実施形態）
次に、本発明に係る第１４実施形態の照明器具について説明する。
図２０に示すように、本発明に係る第１４実施形態の照明器具１５０は、複数の送風手段１５１を器具本体１５２上に備える。
【００７２】
照明器具１５０は、送風手段１５１において、ファン２６の数は増えるが、送風手段１５１のそれぞれが分担する領域が狭くなるため、風量が少なく済み、送風手段１５１のそれぞれを、より小型で薄型にできる。
また、照明器具１５０は、隣り合う送風手段１５１で正転、逆転を交互に行えば、空気流の向きが一義的に決まり、効率的に掃除、放熱の両方が達成できる。
【００７３】
照明器具１５０によれば、複数の送風手段１５１を備えることにより、風量が少なく済み、より小型化でき、薄型化できる。
【００７４】
なお、本発明の照明器具においてＬＥＤユニット，ＬＥＤ，取付アダプタ，点灯回路等は、前述した各実施形態に限定されるものでなく、適宜な変形や改良等が可能である。
【符号の説明】
【００７５】
１０，３０，４０，５０，６０，７０，８０，９０，１００，１１０，１２０，１３０，１４０，１５０  照明器具
２０  取付アダプタ（取付手段）
２１  第１通気孔
２３  制御回路
２４  点灯回路
２５，３１，４１，５１，６１，７１，８１，９１，１０１，１１１，１２６，１３１，１４１，１５１  送風手段
２８  ＬＥＤ（光源）
１２２  グローブ
１４２  ヒートシンク（放熱手段）
【図１】
0005796186.tif 000002
【図２】
0005796186.tif 000003
【図３】
0005796186.tif 000004
【図４】
0005796186.tif 000005
【図５】
0005796186.tif 000006
【図６】
0005796186.tif 000007
【図７】
0005796186.tif 000008
【図８】
0005796186.tif 000009
【図９】
0005796186.tif 000010
【図１０】
0005796186.tif 000011
【図１１】
0005796186.tif 000012
【図１２】
0005796186.tif 000013
【図１３】
0005796186.tif 000014
【図１４】
0005796186.tif 000015
【図１５】
0005796186.tif 000016
【図１６】
0005796186.tif 000017
【図１７】
0005796186.tif 000018
【図１８】
0005796186.tif 000019
【図１９】
0005796186.tif 000020
【図２０】
0005796186.tif 000021